(57)【要約】【課題】廃パーテイション材を再利用し、遮音性や断熱性に優れ、見栄えがよく安価に施工可能な仕切り面構造を提供する。【解決手段】間仕切り１０は、一対の金属板の間にスペーサ部材を挟んで成る廃パーテイション材１２に、前記金属板の外表面を覆うように仕上げ板１８が重ね貼りされた仕切り面構造を有する。前記スペーサ部材は、紙又はウレタン材である。仕上げ板１８は、プラスタボード、コンポジットパネル、又は構造用合板である。仕上げ板１８の外表面には、内装用のクロス１８ａが貼られている。【選択図】図１
0003173365.tif 000002
【実用新案登録請求の範囲】
【請求項１】
一対の金属板の間にスペーサ部材を挟んで成る廃パーテイション材に、前記金属板の外表面を覆うように仕上げ板が重ね貼りされていることを特徴とする仕切り面構造。
【請求項２】
前記スペーサ部材は、紙又はウレタン材である請求項１記載の仕切り面構造。
【請求項３】
前記仕上げ板は、プラスタボード、コンポジットパネル、又は構造用合板である請求項１又は２記載の仕切り面構造。
【請求項４】
前記仕上げ板の外表面に、撥水若しくは防水コーティング処理、又は内装用クロス仕上げや化粧板が施されている請求項１乃至３のいずれか記載の仕切り面構造。
【考案の詳細な説明】
【技術分野】
【０００１】
この考案は、建屋内の壁、間仕切り、天井、床等の仕切り面構造に関する。
【背景技術】
【０００２】
従来から、オフィスのフロアの間仕切り等として使用されるパーテイション材は、遮音性、断熱性等を高くするため、スチール等の金属板の間に石膏ボード、段ボール紙、ウレタン材等のスペーサ部材を挟んだ構造のものが多く使用されている。しかし、この種のパーテイション材は、フロアのレイアウト変更があると撤去され、廃棄されるのが一般的であった。
【０００３】
近年、資源の有効利用の観点から、使用済みの廃パーテイション材を中古品として販売し、積極的に再利用しようとする動きがみられる。
【０００４】
また、廃パーテイション材のリサイクルを促進するための検討も行われている。例えば、特許文献１に開示されたパーテイション用の複合ボードのように、石膏ボードに化粧鋼板等を接着して形成する際、接着剤を線状、点状、メッシュ状等の間欠状に塗布することによって、石膏ボードと化粧鋼板等の解体分別を容易にし、リサイクル性を向上させる複合ボードが提案されている。
【先行技術文献】
【特許文献】
【０００５】
【特許文献１】特開２０００−２１８７２４号公報
【考案の概要】
【考案が解決しようとする課題】
【０００６】
中古品として販売される廃パーテイション材は、長年の使用によって、又は撤去作業時の取り扱いによって、表面に汚れ、キズ、凹みなどの欠陥があることが少なくない。また、廃パーテイション材の色についても自由に選択することができない。従って、見栄えが重視される応接室の壁やオフィスの間仕切り等の用途には使用しにくいという問題がある。
【０００７】
また、特許文献１の複合ボードは、解体分別が比較的容易になるとはいえ、解体分別のために一定の費用が発生することは避けられない。
【０００８】
この考案は、上記背景技術に鑑みて成されたものであり、廃パーテイション材を再利用し、遮音性や断熱性に優れ、見栄えがよく安価に施工可能な仕切り面構造を提供することを目的とする。
【課題を解決するための手段】
【０００９】
この考案は、一対の金属板の間にスペーサ部材を挟んで成る廃パーテイション材に、前記金属板の外表面を覆うように仕上げ板が重ね貼りされている仕切り面構造である。
【００１０】
前記スペーサ部材は、紙又はウレタン材が好適である。前記仕上げ板は、プラスタボード又はコンポジットパネルが好適であり、強度が必要な箇所には構造用合板を用いることもできる。また、前記仕上げ板の外表面に、撥水若しくは防水コーティング処理、又は内装用クロス仕上げや床表面材等の化粧板が施されている。
【考案の効果】
【００１１】
この考案の仕切り面構造は、廃パーテイション材の優れた性能（遮音性、断熱性など）を生かしながら外表面の見栄えの問題を解決し、資源の有効利用を実現することができる。しかも、廃パーテイション材を解体分別する等の特別な作業が必要なく、新品のパーテイション材やその他の遮音断熱材等を使用するよりも安価に仕切り面（壁、間仕切り、天井、床面）を施工することができる。また、仕上げ板の材質を適宜選択し、かつ各種の表面処理を施すことによって、オフィスのフロア、応接室、工場の作業場、クリーンルームなど、様々な用途に対応した仕切り面を容易に実現することができる。
【図面の簡単な説明】
【００１２】
【図１】この考案の仕切り面構造の一実施形態を示す正面図である。
【図２】この実施形態のＡ−Ａ断面図（ａ）、組み立て方法を説明する模式図（ｂ）である。
【考案を実施するための形態】
【００１３】
以下、この考案の仕切り面構造の一実施形態について、図面に基づいて説明する。図１、図２に示す間仕切り１０は、この実施形態の仕切り面構造を備えたオフィス用の間仕切りであり、使用済みの廃パーテイション１２、新規に用意した一対のランナ１４，１６及び二枚の仕上げ板１８で構成されている。
【００１４】
廃パーテイション材１２は、略長方形の金属板である一対のスチール板の間に、波形に成形された段ボール又は繊維状のウレタン材等のスペーサ部材を挟み込んだ複合ボードであり、高さ寸法が、床２０から天井２２までの距離よりも僅かに短い。
【００１５】
ランナ１４，１６は、断面Ｕ字型に加工された一対の金属フレームであり、例えば、ＬＧＳと呼ばれる軽鉄材等が好適である。Ｕ字の両端の間隔は廃パーテイション１２の厚みとほぼ等しく、廃パーテイション材１２の上端部及び下端部に各々嵌合可能になっている。
【００１６】
仕上げ板１８は、ここではプラスタボード又はコンポジットパネルが使用され、一方の表面に内装用のクロス１８ａが貼られている。高さ寸法は、床２０から天井２２までの距離とほぼ同じである。
【００１７】
間仕切り１０は、廃パーテイション材１２、一対のランナ１４，１６及び二枚の仕上げ板１８を使用し、次の手順で施工される。
【００１８】
まず、図２（ｂ）に示すように、ランナ１４をＵ字の両端部を上向きにして床２０に置き、その底部を床２０にピン２４で固定する。同様に、ランナ１６をＵ字の両端部を下向きにしてランナ１４と対向する天井２２の位置に配置し、その底部を天井２２にピン２４で固定する。
【００１９】
次に、固定したランナ１４，１６に複数の廃パーテイション材１２を一枚ずつ順番に取り付ける。取り付けは簡単で、廃パーテイション材１２の上端部を天井２２側のランナ１６の内側に差し込んで嵌合させ、下端部を床２０側のランナ１４の内側に落として嵌合させる。必要に応じて支柱２６を設けて補強してもよい。複数の廃パーテイション材１２を隙間なく並べ、最後の一枚に余りが生じたときには、その余りの部分を切断し寸法の調整をする。
【００２０】
この後、廃パーテイション材１２の両面に、クロス１８ａを外向きにした二枚の仕上げ板１８を当て、適当な箇所にビス２８を打ち込んで一体に重ね貼りする。その結果、仕上げ板１８によって廃パーテイション材１２及びランナ１８，２０の外表面が覆われ、キズや凹みなどの欠陥が目隠しされ、見栄えのよい間仕切り１０が形成される。
【００２１】
以上説明した間仕切り１０によれば、廃パーテイション材１２の優れた性能（遮音性、断熱性など）をそのまま生かしながら、外表面に仕上げ板１８を重ね貼りして見栄えの問題を解決し、資源の有効利用を実現することができる。特に、仕上げ板１８であるコンポジットパネル等の外表面に貼り付けるクロス１８ａの色を適宜選択することによって、オフィス内の机や椅子などの色調に合わせることも容易である。また、廃パーテイション材１２を解体分別する等の特別な作業が必要なく、新品のパーテイション材や断熱材、遮音材を使用するよりも安価に壁面を施工することができる。
【００２２】
なお、この考案の仕切り面構造は、上記実施形態の間仕切りに限定されるものではなく、例えば、部屋の壁や天井の面、床構造に適用ことも可能である。その場合、上記の間仕切り１０と異なり、廃パーテイション材の片面だけを仕上げ板で覆うようにすればよい。また、廃パーテイション材の固定方法は、廃パーテイション材の大きさ、重量、必要な固定強度に鑑みて、図１、図２のランナを用いた方法以外の方法を選択することができる。例えば、廃パーテイション材は外表面が金属板なので、天井や壁の基板部分にビス止めして強く固定することも可能である。特定の廃パーテイション材を出入口のドアや引き違いとして可動式に取り付けてもよい。
【００２３】
また、仕上げ板の材質を適宜選択し、かつ各種の表面処理を施すことによって、オフィスのフロア、応接室、工場の作業場、クリーンルームなど、様々な用途に対応した壁面等の仕切り面構造を得ることができる。例えば、オフィスの間仕切りの場合、廃パーテイション材の表面が金属板なので、外表面に設ける仕上げ板を薄くしておけば、マグネット式の掲示板として利用できる。また、絵画等を飾るための壁掛けフックを設けたいとき、タッピングねじ式の壁掛けフックを金属板にしっかりと取り付けることができる。さらに、衛生面が重視される食品工場のクリーンルームを施工する場合、仕上げ板としてアルミニウムパネルを用い、表面に撥水又は防水コーティングの処理を行うとよい。また、床面に使用する際には、仕上げ版として構造用合板を用い、床表面材等の化粧板を表面に貼って仕上げる。
【符号の説明】
【００２４】
１０  間仕切り
１２  廃パーテイション材
１４，１６  ランナ
１８  仕上げ板
【図１】
0003173365.tif 000003
【図２】
0003173365.tif 000004